(57)【特許請求の範囲】
【請求項１】
基部部材と、
所定の直径を有する紐を緊締保持するための第１凹型部材を備え、前記基部部材と一体に設けられた第１コードフック部材と、
前記基部部材と一体に設けられ、前記紐を緊締させるための第２凹型部材を備えた第２コードフック部材を有する第２コードフック部材を有し、前記第１及び前記第２コードフック部材は前記基部部材の第１の側部に配置され、
前記第１凹型部材の開口は前記第２凹型部材の開口の向きと異なる方向に向けられており、
前記紐を保持する場合は、前記紐をコードロックの第１コードフック部材と第２コードフック部材との間の隙間に押し込んでから前記紐を引っ張り第１及び第２凹型部材に納まった後に前記紐を緩め、第１及び第２凹型部材によって前記紐を折り曲げながら第１及び第２凹型部材の中に納まるように装着されて、前記紐はコードロックへ保持され、
更に、前記第１コードフック部材は二つの部材によって構成され、前記第２のコードフック部材は前記二つの前記第１コードフック部材の間に設けられており、
前記第１のコードフック部材と前記第２コードフック部材との各々の間の前記隙間は、前記紐の前記所定の直径より小さくなっており、更に、前記第１凹型部材のトラフ位置と前記第２凹型部材のトラフ位置との高低差が前記紐の前記所定の直径より小さくなっていることを特徴とするコードロック。
【請求項２】
前記第２コードフック部材は、三角形又は半円の端部セグメント（３２）を有していることを特徴とする請求項１記載のコードロック。
【請求項３】
前記第１コードフック部材の端部セグメントは前記第２コードフック部材の位置に対して直角に向けられていることを特徴とする請求項１記載のコードロック。
【請求項４】
前記第１凹型部材（２１）は、逆Ｕ字型を備えていることを特徴とする請求項１記載のコードロック。
【請求項５】
前記基部部材の第２側部には、織物ベルトを通す為の織物用ベルト穴が設けられていることを特徴とする請求項１記載のコードロック。
【請求項６】
前記基部部材から延出した縫製用の板状小片を備えた基部部材の第２側部を有していることを特徴とする請求項１記載のコードロック。
【請求項７】
前記紐をコードロックへ保持させるために、
前記基部部材の第２側部は、さらなる追加の第１コードフック部材のペア及びさらなる追加の第２コードフック部材を備えていることを特徴とする請求項１に記載のコードロック。
【請求項８】
前記基部部材は、織物ベルト用の穴を備えていることを特徴とする請求項７記載のコードロック。
【請求項９】
前記コードロックは、両端が丸みを帯びた円筒型を有していることを特徴とする請求項１記載のコードロック。
【発明の詳細な説明】
【技術分野】
【０００１】
本発明は、コードの固定又は調節を目的として既製服、バックパック、バッグ、テントや靴に用いられるコードロックに関する。
【背景技術】
【０００２】
コードロックは多くの場合に、既製服、バックパック、バッグ、テント及び靴などの品目に用いられており、コードの固定又は調節を目的に用いられている。これらのコードロックは、大きく二つの種類に分類することができる。一種類目のコードロックは、通常２つ乃至３つの部材によって構成された硬質ゴムコードロックがある。例えば、一般に見られるコードロックは、プレスコア（pressing core）、外殻（outer shell）及びバネを含む３つの部材から構成されている。プレスコアの上にバネを押し込んでパッケージ化されたプレスコアとバネを外殻に固定されたものがある。インナーコア（inner core）を押すこと又は解除することによってコードロックの固定及び解除ができるようになっている。この種のコードロックは、複雑な構造、複数の生産工程、組み付けの時間集約及び高いコストを要する。
【０００３】
別の種類のコードロックは、プレスコア及び外殻のみの二つの部材を含んだものがある。プレスコアが外殻に差し込まれており、インナーコアを押すこと又は解除することによってコードロックの固定及び解除ができるようになっている。３つの部材を含むコードロックと比べて構造はシンプルではあるが、まだ、組み付けの工程及びコストでは優れてはない。なお、硬質ゴムコードロック以外では、軟質ゴムコードロックなどの別種や一部含んだものもある。しかしながら、この種のコードロックは、材料独特の不十分な耐久性によって限定されている。コードの締め付けに用いられる力は、長期間（コードロックの使用）及び天候の影響によって、締め付け能力の劣化が結果として容易に生じることがある。
【発明の概要】
【発明が解決しようとする課題】
【０００４】
本発明によって解決された技術的問題は、現在利用可能なコードロック技術の前述の欠点に関するもので構成されている。完全に一体化させて組み付けの工程を低減させて、且つ、コストも低減することが可能なコードロックを提供する。更に、コードを固定させる優れた能力も維持する。
【課題を解決するための手段】
【０００５】
従来の技術的な問題点を解決するために本発明が採用した技術的な計画は以下の通りである：基部部材（１）と第１コードフック部材（２）及び第２コードフック部材（３）を完全一体成形させて前記基部部材（１）を有するコードフックを作る。前記第１コードフック部材及び第２コードフック部材は、前記基部部材の第１側部を形成している。また、前記第１コードフック部材は、コードを固定するのに用いられる第１凹型部材を有している。前記第２コードフック部材は、紐を固定するのに用いられる第２の凹型部材を有している。第１凹型部材と第２凹型部材の開口の向きは同じではない。前記第１凹型部材と第２凹型部材は、紐を折曲げながら第１コードフック部材と第２コードフック部材との間に配置することができることによって、紐を固定することができる。
【０００６】
本発明内で上述したコードロックは、前記基部部材の第１側部は、ペアの前記第１コードフック部材を有している。前記第２コードフック部材は、ペアの第１コードフック部材との間に設けられている。前記第２コードフック部材と第１コードフックとの間の隙間は、紐の直径よりも小さくなっている。また、前記第１凹部型部材のトラフ（trough）位置と前記第２凹型部材のトラフ位置との高低差は、コードの直径よりも小さくなっている。
【０００７】
本発明内で上述したコードロックは、前記第２コードフック部材には、徐々に先細りする端部セグメント（segment）を有している。前記端部セグメントは、三角形や半円で形成されている。
【０００８】
本発明内で上述したコードロックでは、第１コードフック部材の端部セグメントは、第２コードフック部材の位置に対して直角を向いている。
【０００９】
本発明内で上述したコードロックでは、前記第１の凹型部材は、逆Ｕ字型を有している。前記第２の凹型部材も、逆Ｕ字型を有している。前記第１凹型部材と前記第２の凹型部材との幅は、紐の直径よりも小さくなっている。
【００１０】
本発明内で上述したコードロックでは、前記基部部材の第２側部には、織ったベルトを通すための織物ベルト（woven belt）用の穴が設けられている。
【００１１】
本発明内で上述したコードロックでは、前記基部部材の第２側部は、基部部材の外側に延出した縫製用の板状小片を有している。
【００１２】
本発明内で上述したコードロックでは、前記基部部材の第２側部は、第１コードフック部材とペアの第２フック部材で成形されている。前記第２側部の第１コードフック部材とペアの第２フック部材は、対称又は対称でない前記第１側面にペアの第１コードフック部材及び第２コードフック部材がある。
【００１３】
本発明内で上述したコードロックでは、前記基部要素に織物ベルト用の穴が設けられている。
【００１４】
本発明内で上述したコードロックでは、前記コードロックは、両端が丸みを帯びた円筒型を有している。
【００１５】
本発明のコードロックは、以下の効果を奏する：本発明は、基部部材のみならず、第１コードフック部材と第２コードフック部材も完全一体成形されているので、組み付け作業が無くなり、とりわけコストを低減することができる。また、当該コードロックは、紐の任意の位置で組み付けすることができるようになっており、必ずしも完成品において予め組み付けさせておく必要はない。更に、任意の位置で組み付けの取り外しができるようになっているので、アジル化生産計画をもたらすことができるようになっている。当該のコードロックを押す必要がなく、直接コードロック又は紐を引くことによって、コードの長さを迅速に調節することができるようになっている。使い勝手が大変良くなっている。
【図面の簡単な説明】
【００１６】
【図１】本発明のコードロックの第１実施例を示す、１番目の概略斜視図である。
【図２】本発明のコードロックの第１実施例を示す、２番目の概略斜視図である。
【図３】本発明のコードロックの第１実施例を示す、正面図である。
【図４】本発明のコードロックの第１実施例を示す、上面図である。
【図５】本発明のコードロックの第１実施例を示す、背面図である。
【図６】本発明のコードロックの第１実施例を示す、図５のＡ−Ａ断面図である。
【図７】本発明のコードロックの第１実施例を示す、左側側面図である。
【図８】図７のＢ−Ｂ断面図をしめす。
【図９】本発明のコードロックにコードを組合せた第１実施例を示す、１番目の概略図である。
【図１０】本発明のコードロックの紐の調節の第１実施例を示す、概略図である。
【図１１】本発明のコードロックに紐を組合せた第１実施例を示す、２番目の概略図である。
【図１２】本発明のコードロックが衣服に用いられた場合の第１実施例を示す、概略図である。
【図１３】本発明のコードロックの第２実施例を示す、１番目の概略斜視図である。
【図１４】本発明のコードロックの第２実施例を示す、２番目の概略斜視図である。
【図１５】本発明のコードロックの第２実施例の使用状況を示す、概略図である。
【図１６】本発明のコードロックの第３実施例を示す、１番目の概略斜視図である。
【図１７】本発明のコードロックの第３実施例を示す、２番目の概略斜視図である。
【図１８】本発明のコードロックの第３実施例の使用状況を示す、概略図である。
【図１９】本発明のコードロックの第４実施例を示す、１番目の３次元概略図である。
【図２０】本発明のコードロックの第４実施例を示す、２番目の３次元概略図である。
【図２１】本発明のコードロックの第４実施例の使用状況を示す、１番目の概略図である。
【図２２】本発明のコードロックの第４実施例の使用状況を示す、２番目の概略図である。
【発明を実施するための形態】
【００１７】
以下の合成図及び実施例は、本発明の説明のさらなる役割を果たしている。
【００１８】
本発明の技術的な特徴、目的及び効果をより明確に理解するために、まず本発明に添付した図面の詳細な説明の具体的な実施の形態について比較する。
【００１９】
図１〜図１２に示すように、本発明のコードロックの第１実施例では、比較的小さな表面積を有する小型のコードロックを例示している。完全一体成形したコードロックが図示されている。コードロックは基部部材１を有しながら、同様に第１コードフック部材２と第２コードフック部材３と結合させた基部部材１と共に全てが一体成形されており、また、第１コードフック部材２と第２コードフック部材３によって基部部材１の第１側部が構成されている。基部部材１は、コードロックによって調節されながら紐５の方向に沿って延ばすことができる。第１コードフック部材２と第２コードフック部材３は、基部部材１に対して基部部材１の第１側部に垂直な方向に沿って外側へ延出している。第２コードフック部材３は、二つの第１コードフック部材２との間に設けられている。第２のコードフック部材３と第１コードフック部材２との間の隙間４１は、紐５の直径よりも小さくなっている。第１コードフック部材２は、紐を固定する為に用いられる第１凹型部材２１を有する。第２コードフック部材は、紐を固定する為に用いられる第２凹型部材３１を有する。第１凹型部材２１の開口部と第２凹型部材３１の開口部は、同じ方向に開いてなく、反対方向又は開口部に対して斜めの方向に配向させることもできる。具体的には、本実施例では、第１凹型部材２１は逆Ｕ字型を有している。第２凹型部材３１も逆Ｕ字型を有している。第１凹型部材２１のトラフ位置２１１は、第２凹型部材３１のトラフ位置３１１よりも高くなっている。また、第１凹型部材２１のトラフ位置２１１と第２凹型部材３１のトラフ位置３１１との高低差は、紐５の直径よりも小さくなっている。更に、第１凹型部材２１のトラフ位置２１１は、逆Ｕ字型の第１の凹型部材２１の最上点である。また、第２の凹型部材３１のトラフ位置３１１は、Ｕ字型の第２の凹型部材３１の最下点である。加えて、トラフ位置２１１及びトラフ位置３１１との高低差ｈが、概略的に示されている。第１コードフック部材２と第２コードフック部材３との間の隙間が紐５の直径よりも小さくなっていることや、第１凹型部材２１のトラフ位置２１１と第２凹型部材のトラフ位置３１１との高低差が紐５の直径より小さくなっている。このため、第１コードフック部材２の第１凹型部材２１を通る紐５を上方へシフトさせ、これによって、紐５を第１コードフック部材２と第２コードフック部材３との間で折り曲げ部５１を形成できる。その結果、紐５を紐５の方向へ引っ張った場合、紐５、第１コードフック部材２及び第２コードフック部材３との間の摩擦力が折り曲げ部５１によって高めることができる。これは、予めセットした位置に紐５を固定させることも可能である。なお、第１凹型部材２１及び第２凹型部材３１の形状がＵ字型に限定されないことは理解すべきである。任意の他の適用可能な形状によって紐を適切に固定することもできる。
【００２０】
本発明のコードロックは、紐５を予め組み付けておく必要はない。紐５をコードロックに装着する場合は、まず、紐の一端を第１コードフック部材２及び第２コードフック部材３との間の隙間４１へ押し込む。続いて、片方の紐５の端を第１コードフック部材２及び第２コードフック部材３との間の隙間４１内へ押し込む。その後、紐５の両端を引っ張りながら、第１コードフック部材２の第１トラフ（凹型）部材２１及び第２のコードフック部材３の第３トラフ（凹型）部材３１内に紐を収容する。操作性を容易にするために、第２コードフック部材３の端部セグメント３２に徐々に窄まるような三角形や半円を設けても良い。本実施例では、第２コードフック部材３の端部セグメント３２は、紐５のガイド機能を果たす三角形を有しているので、組み付け及び製造中にコードロックを容易に紐５へ装着させることができるようになる。
【００２１】
本実施例では、紐５がコードロックから緩まないようにする為に、第２コードフック部材３の方に向けられている第１コードフック部材２の端部セグメント２２は、直角２３となるように設定することができる。さらに一歩踏み込んで、第１コードフック部材２の第１凹型部材２１の幅ｗ並びに第２コードフック部材３の第２凹型部材３１の幅ｗを紐５の直径より小さく作ることができるので、第１凹型部材２１及び第２凹型部材３１は紐５に対して特定の締め付け効果を有することができる。これはコードロックの紐５からの緩み防止をさらに向上させることができる。
【００２２】
紐５を調節する場合は、紐５が延びるように紐５の両端を引っ張りながら紐５の直径を小さくさせる。その後、所定な位置までコードロックを移動させながら固定させたい位置でコード５を解除させる。
【００２３】
本実施例のコードロックは、基本的に円筒型を有しておりコードロックの両端は、丸みを帯びている。また、衣服の中に格納できるように小型で精巧な外形を有している。
【００２４】
図１２は、衣服に用いられた場合のコードロックの第１実施例を示す、概略図である。
【００２５】
図１３〜図１５に本発明のコードロックの第２実施例を示しているが、本実施例では、第１実施例の基本部分に追加の改善したものが例示されている。具体的には、織物ベルト６を通せる織物ベルト用穴１１が設けられており、これらは、基部部材１の側面側に形成されている。コードロックは、前記織物ベルト用穴１１を介して織物ベルト６に装着することができる。図１５は、織物ベルト６を装着させたコードロックの概略図を示す。本実施例では、コードロックの他の構成は、第１実施例の中のコードロックの構成と同じである。詳細説明の繰り返しは行わない。
【００２６】
図１６〜図１８に本発明のコードロックの第３実施例を示している。本実施例では、第１実施例の基本部分に追加の改善したものが例示されている。具体的には、縫製用の板状小片１２が基部部材１の第２側面に形成されている。前記縫製用の板状小片１２を介してコードロックを衣服、バッグ類やテント類などへ縫製して使用できる。本実施例では、コードロックの他の構成は、第１実施例の中のコードロックの構成と同じである。詳細説明の繰り返しは行わない。
【００２７】
図１９〜図２２に本発明のコードロックの第４実施例を示している。本実施例のコードロックの表面積は、第１実施例のコードロックの表面積よりも少しだけ大きくなっている。具体的には、第１コードフック部材２及び第２コードフック部材３とのペアと、コードロックの基部部材１の第１側部及び第２側部の両方とが対称構造となるように設けられている。織物ベルト用の二つの穴１３と１４は、それらを介して織物ベルトを通すことができるように設けられており、つまり織物ベルトを調節することができるコードロックの追加機能として用いることができる。コードロックは、二本の紐の調節が行えるだけではなく、更に、第１コードフック部材２及び第２コードフック部材３を結合させてコードロックの基部部材の両側に設けたものを１本の紐として二重調整を行うことも可能になっている。これは、図２１及び図２２に別々に図示されている。本実施例では、基部部材の両側に設けられている第１コードフック部材２及び第２コードフック部材３の構成は、第１実施例の基部部材１の両側に設けられている第１コードフック部材２及び第２コードフック部材３の構成と同じである。詳細説明の繰り返しは行わない。
【００２８】
上述した実施例は、相対的に好ましい実施の形態を例示していることを理解すべきである。実用的な応用として基部部材の第１側部又は第２側部は、一つの第１コードフック部材２及び一つの第２コード部材３のみを延出させても良い。二つのコードフック部材の開口の向きは、同じにしなくても良い。二つのコードフック部材の位置がずれていることによって、屈曲させた紐５を第１コードフック部材２と第２コードフック部材３との間に設けることが可能になり、このようにすることによってコードの固定や調節を実現することもできる。第１コードフック部材２と第２コードフック部材３との隙間に関しては、必ずしもコードの直径よりも小さくする必要はなく、コードの直径より大きくさせても良い。また、第２コードフック部材３の凹型部材３１のトラフ位置３１１は、第１コードフック部材２の凹型部材２１のトラフ位置２１１よりも高くすることができる。また、図８に示すように、第２コードフック部材３の凹型部材３のトラフ位置３１１は、第１コードフック部材２のトラフ位置３１１の上を越えて上方へスライドさせることもできる。上述の概念を持たせながら形状変更することも、本発明の保護範囲内に含まれる。
【００２９】
本発明のコードロックは、完全一体成形を採用している。材料及び工程は、二つの部材乃至二つ以上の部材が必要とされるコードロックの組み付けと対比しながら保全することも可能である。また、組み付け工程を低減させることは可能であり、特にコストを低減させることができる。本発明のコードロックは、必ずしも予め組み付けさせておく必要がないので、衣類、バッグ類、テント類等の製造においてコードロックを待機させることなく、生産計画を迅速に立てることができる。バネ付きコードロックと比べて本発明のコードロックは、より安定化させた組成物や高い寿命を有することができるので、バネの故障によって無駄になることもなくなる。本発明のコードロックは、第１コードフック部材と第２コードフック部材の組合せを用いてコードの締め付けを行えば、さらなる安定化をもたらすことも可能である。
【００３０】
上述の組合せイメージによって、本発明の実施例の説明は提供されている。しかしながら、本発明は、上述の特定の実施の形態に限定されるものではない。前述の特定の実施の形態は、単なる例示であり限定するものではない。本分野内におかれる通常の技術者であれば本発明に触発されて、条件においては、本発明の目的及び特許の請求範囲の保護から逸脱しないことを条件に様々な形態を作ることができるであろう。これらは、例外なく本発明による保護の下に分類される。
【符号の説明】
【００３１】
１    基部部材
２    第１コードフック部材
３    第２コードフック部材
５    紐
６    織物ベルト
１１，１３，１４    織物ベルト用穴
１２  板状小片
２１  第１凹型部材
２２  第１コードフック部材の端部セグメント
２３  直角
３１  第２凹型部材
３２  第２コードフック部材の端部セグメント
４１  隙間
５１  折り曲げ部
２１１  第１凹型部材のトラフ位置
３１１  第２凹型部材のトラフ位置
【図１】
0005955952.tif 000002
【図２】
0005955952.tif 000003
【図３】
0005955952.tif 000004
【図４】
0005955952.tif 000005
【図５】
0005955952.tif 000006
【図６】
0005955952.tif 000007
【図７】
0005955952.tif 000008
【図８】
0005955952.tif 000009
【図９】
0005955952.tif 000010
【図１０】
0005955952.tif 000011
【図１１】
0005955952.tif 000012
【図１２】
0005955952.tif 000013
【図１３】
0005955952.tif 000014
【図１４】
0005955952.tif 000015
【図１５】
0005955952.tif 000016
【図１６】
0005955952.tif 000017
【図１７】
0005955952.tif 000018
【図１８】
0005955952.tif 000019
【図１９】
0005955952.tif 000020
【図２０】
0005955952.tif 000021
【図２１】
0005955952.tif 000022
【図２２】
0005955952.tif 000023